(57)【要約】【課題】移動局ＵＥ宛てのデータバーストが発生している際に、かかる移動局ＵＥに係るハンドオーバ処理が行われる場合であっても、各アクティブタイムにおける移動局ＵＥに対する下りリンクのスループットを取得する。【解決手段】本発明に係る移動通信方法は、無線基地局ｅＮＢ＃１が、無線基地局ｅＮＢ＃２に対して、未送信データを転送する工程と、無線基地局ｅＮＢ＃１が、送信済データの送信結果に基づいて、アクティブタイムにおける移動局ＵＥに対する下りリンクのスループットを算出する工程と、無線基地局ｅＮＢ＃２が、移動局ＵＥに対して、無線基地局ｅＮＢ＃１から転送された未送信データ及び新規データを送信する工程と、無線基地局ｅＮＢ＃２が、未送信データ及び新規データの送信結果に基づいて、上述のスループットを算出する工程とを有する。【選択図】図７
2013197738.tif 000002
【特許請求の範囲】
【請求項１】
移動局宛てのデータバーストが発生しているアクティブタイムにおける該移動局に対する下りリンクのスループットを算出する移動通信方法であって、
前記移動局の第１無線基地局配下の第１セルから第２無線基地局配下の第２セルへのハンドオーバ処理において、該第１無線基地局が、該第２無線基地局に対して、前記アクティブタイム中に発生し該移動局に対して送信されていない該移動局宛ての未送信データを転送する工程と、
前記第１無線基地局が、前記アクティブタイム中に発生し前記移動局に対して送信された送信済データの送信結果を用いて、前記スループットを算出する工程と、
前記第２無線基地局が、前記移動局に対して、前記第１無線基地局から転送された前記未送信データ及び前記アクティブタイム内で新規に発生した該移動局宛ての新規データを送信する工程と、
前記第２無線基地局が、前記未送信データ及び前記新規データの送信結果を用いて、前記スループットを算出する工程とを有することを特徴とする移動通信方法。
【請求項２】
移動局宛てのデータバーストが発生しているアクティブタイムにおける該移動局に対する下りリンクのスループットを算出する移動通信方法であって、
前記移動局の第１無線基地局配下の第１セルから第２無線基地局配下の第２セルへのハンドオーバ処理において、該第１無線基地局が、該第２無線基地局に対して、前記アクティブタイム内で発生し該移動局に対して送信されていない該移動局宛ての未送信データと共に、該アクティブタイム内で発生し該移動局に対して送信された送信済データの送信結果を転送する工程Ａと、
前記第２無線基地局が、前記移動局に対して、前記第１無線基地局から転送された前記未送信データ及び前記アクティブタイム内で新規に発生した該移動局宛ての新規データを送信する工程Ｂと、
前記第２無線基地局が、前記第１無線基地局から転送された前記送信済データの送信結果と、前記未送信データ及び前記新規データの送信結果とに基づいて、前記スループットを算出する工程Ｃとを有することを特徴とする移動通信方法。
【請求項３】
前記工程Ａにおいて、前記第１無線基地局は、前記第２無線基地局に対して、ハンドオーバ要求信号を送信する前に、前記移動局に対するデータの送信を停止し、該第２無線基地局に対して、前記未送信データと共に、前記送信済データの送信結果を転送することを特徴とする請求項２に記載の移動通信方法。
【請求項４】
前記工程Ａにおいて、前記第１無線基地局は、前記第２無線基地局から、ハンドオーバ要求応答信号を受信した後に、前記移動局に対するデータの送信を停止し、該第２無線基地局に対して、前記未送信データと共に、前記送信済データの送信結果を転送することを特徴とする請求項２に記載の移動通信方法。
【請求項５】
移動局の第１無線基地局配下の第１セルから第２無線基地局配下の第２セルへのハンドオーバ処理において、該第１無線基地局として動作することができる無線基地局であって、
前記ハンドオーバ処理において、前記第２無線基地局に対して、前記移動局宛てのデータバーストが発生しているアクティブタイム内で発生し該移動局に対して送信されていない該移動局宛ての未送信データを転送するように構成されている送信部と、
前記アクティブタイム内で発生し前記移動局に対して送信された送信済データの送信結果に基づいて、前記スループットを算出するように構成されている算出部とを具備することを特徴とする無線基地局。
【請求項６】
移動局の第１無線基地局配下の第１セルから第２無線基地局配下の第２セルへのハンドオーバ処理において、該第２無線基地局として動作することができる無線基地局であって、
前記ハンドオーバ処理において、前記第１無線基地局から、前記移動局宛てのデータバーストが発生しているアクティブタイム内で発生し該移動局に対して送信されていない該移動局宛ての未送信データを取得するように構成されている受信部と、
前記移動局に対して、前記第１無線基地局から取得した前記未送信データ及び前記アクティブタイム内で新規に発生した該移動局宛ての新規データを送信するように構成されている送信部と、
前記未送信データ及び前記新規データの送信結果に基づいて、前記スループットを算出するように構成されている算出部とを具備することを特徴とする無線基地局。
【請求項７】
移動局の第１無線基地局配下の第１セルから第２無線基地局配下の第２セルへのハンドオーバ処理において、該第１無線基地局として動作することができる無線基地局であって、
前記ハンドオーバ処理において、前記第２無線基地局に対して、前記移動局宛てのデータバーストが発生しているアクティブタイム内で発生し該移動局に対して送信されていない該移動局宛ての未送信データと共に、該アクティブタイム内で発生し該移動局に対して送信された送信済データの送信結果を転送するように構成されている送信部を具備することを特徴とする無線基地局。
【請求項８】
前記送信部は、前記第２無線基地局に対して、ハンドオーバ要求信号を送信する前に、前記移動局に対するデータの送信を停止し、該第２無線基地局に対して、前記未送信データと共に、前記送信済データの送信結果を転送するように構成されていることを特徴とする請求項７に記載の無線基地局。
【請求項９】
前記送信部は、前記第２無線基地局から、ハンドオーバ要求応答信号を受信した後に、前記移動局に対するデータの送信を停止し、該第２無線基地局に対して、前記未送信データと共に、前記送信済データの送信結果を転送するように構成されていることを特徴とする請求項７に記載の無線基地局。
【請求項１０】
移動局の第１無線基地局配下の第１セルから第２無線基地局配下の第２セルへのハンドオーバ処理において、該第２無線基地局として動作することができる無線基地局であって、
前記ハンドオーバ処理において、前記第１無線基地局から、前記移動局宛てのデータバーストが発生しているアクティブタイム内で発生し該移動局に対して送信されていない該移動局宛ての未送信データと共に、該アクティブタイム内で発生し該移動局に対して送信された送信済データの送信結果を取得するように構成されている受信部と、
前記移動局に対して、前記第１無線基地局から転送された前記未送信データ及び前記アクティブタイム内で新規に発生した該移動局宛ての新規データを送信するように構成されている送信部と、
前記送信済データの送信結果と、前記未送信データ及び前記新規データの送信結果とに基づいて、前記スループットを算出するように構成されている算出部とを具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、通信事業者によって行われる走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。
【０００３】
ＬＴＥのＲｅｌｅａｓｅ-１０方式において規定されているＭＤＴでは、無線基地局ｅＮＢは、移動局ＵＥによって報告された所定無線品質の測定結果（ＲＳＲＰ：Ｒｅｆｅｒｅｎｃｅ  Ｓｉｇｎａｌ  Ｒｅｃｅｉｖｅｄ  Ｐｏｗｅｒ、ＲＳＲＱ：Ｒｅｆｅｒｅｎｃｅ  Ｓｉｇｎａｌ  Ｒｅｃｅｉｖｅｄ  Ｑｕａｌｉｔｙ）や移動局ＵＥの位置情報（Ｌｏｃａｔｉｏｎ  Ｉｎｆｏｒｍａｔｉｏｎ）を、運用保守サーバＯＡＭ（Ｏｐｅｒａｔｉｏｎ  Ａｎｄ  Ｍａｉｎｔｅｎａｎｃｅ）に対して報告するように構成されている。
【０００４】
また、ＬＴＥのＲｅｌｅａｓｅ-１１方式において規定されているＭＤＴでは、無線基地局ｅＮＢは、移動局ＵＥが体験したスループットを把握するために、各アクティブタイム（Ａｃｔｉｖｅ  Ｔｉｍｅ）における移動局ＵＥに対する下りリンク（或いは、上りリンク）のスループット、具体的には、「Ｓｃｈｅｄｕｌｅｄ  ＩＰ  Ｔｈｒｏｕｇｈｐｕｔ」を取得することができるように構成されている。
【先行技術文献】
【非特許文献】
【０００５】
【非特許文献１】３ＧＰＰ  ３７.３２０
【非特許文献２】３ＧＰＰ  ３６.３３１
【非特許文献３】３ＧＰＰ  ３６.３１４
【発明の概要】
【発明が解決しようとする課題】
【０００６】
しかしながら、既存のＭＤＴでは、移動局ＵＥ宛てのデータバーストが発生している際に、かかる移動局ＵＥに係るハンドオーバ処理が行われる場合には、どのように、各アクティブタイムにおける移動局ＵＥに対する下りリンク（或いは、上りリンク）のスループットを取得するべきかについて規定されていないという問題点があった。
【０００７】
そこで、本発明は、上述の課題に鑑みてなされたものであり、移動局宛てのデータバーストが発生している際に、かかる移動局に係るハンドオーバ処理が行われる場合であっても、各アクティブタイムにおける移動局ＵＥに対する下りリンクのスループットを取得することができる移動通信方法及び無線基地局を提供することを目的とする。
【課題を解決するための手段】
【０００８】
本発明の第１の特徴は、移動局宛てのデータバーストが発生しているアクティブタイムにおける該移動局に対する下りリンクのスループットを算出する移動通信方法であって、前記移動局の第１無線基地局配下の第１セルから第２無線基地局配下の第２セルへのハンドオーバ処理において、該第１無線基地局が、該第２無線基地局に対して、前記アクティブタイム中に発生し該移動局に対して送信されていない該移動局宛ての未送信データを転送する工程と、前記第１無線基地局が、前記アクティブタイム中に発生し前記移動局に対して送信された送信済データの送信結果を用いて、前記スループットを算出する工程と、前記第２無線基地局が、前記移動局に対して、前記第１無線基地局から転送された前記未送信データ及び前記アクティブタイム内で新規に発生した該移動局宛ての新規データを送信する工程と、前記第２無線基地局が、前記未送信データ及び前記新規データの送信結果を用いて、前記スループットを算出する工程とを有することを要旨とする。
【０００９】
本発明の第２の特徴は、移動局宛てのデータバーストが発生しているアクティブタイムにおける該移動局に対する下りリンクのスループットを算出する移動通信方法であって、前記移動局の第１無線基地局配下の第１セルから第２無線基地局配下の第２セルへのハンドオーバ処理において、該第１無線基地局が、該第２無線基地局に対して、前記アクティブタイム内で発生し該移動局に対して送信されていない該移動局宛ての未送信データと共に、該アクティブタイム内で発生し該移動局に対して送信された送信済データの送信結果を転送する工程Ａと、前記第２無線基地局が、前記移動局に対して、前記第１無線基地局から転送された前記未送信データ及び前記アクティブタイム内で新規に発生した該移動局宛ての新規データを送信する工程Ｂと、前記第２無線基地局が、前記第１無線基地局から転送された前記送信済データの送信結果と、前記未送信データ及び前記新規データの送信結果とに基づいて、前記スループットを算出する工程Ｃとを有することを要旨とする。
【００１０】
本発明の第３の特徴は、移動局の第１無線基地局配下の第１セルから第２無線基地局配下の第２セルへのハンドオーバ処理において、該第１無線基地局として動作することができる無線基地局であって、前記ハンドオーバ処理において、前記第２無線基地局に対して、前記移動局宛てのデータバーストが発生しているアクティブタイム内で発生し該移動局に対して送信されていない該移動局宛ての未送信データを転送するように構成されている送信部と、前記アクティブタイム内で発生し前記移動局に対して送信された送信済データの送信結果に基づいて、前記スループットを算出するように構成されている算出部とを具備することを要旨とする。
【００１１】
本発明の第４の特徴は、移動局の第１無線基地局配下の第１セルから第２無線基地局配下の第２セルへのハンドオーバ処理において、該第２無線基地局として動作することができる無線基地局であって、前記ハンドオーバ処理において、前記第１無線基地局から、前記移動局宛てのデータバーストが発生しているアクティブタイム内で発生し該移動局に対して送信されていない該移動局宛ての未送信データを取得するように構成されている受信部と、前記移動局に対して、前記第１無線基地局から取得した前記未送信データ及び前記アクティブタイム内で新規に発生した該移動局宛ての新規データを送信するように構成されている送信部と、前記未送信データ及び前記新規データの送信結果に基づいて、前記スループットを算出するように構成されている算出部とを具備することを要旨とする。
【００１２】
本発明の第５の特徴は、移動局の第１無線基地局配下の第１セルから第２無線基地局配下の第２セルへのハンドオーバ処理において、該第１無線基地局として動作することができる無線基地局であって、前記ハンドオーバ処理において、前記第２無線基地局に対して、前記移動局宛てのデータバーストが発生しているアクティブタイム内で発生し該移動局に対して送信されていない該移動局宛ての未送信データと共に、該アクティブタイム内で発生し該移動局に対して送信された送信済データの送信結果を転送するように構成されている送信部を具備することを要旨とする。
【００１３】
本発明の第６の特徴は、移動局の第１無線基地局配下の第１セルから第２無線基地局配下の第２セルへのハンドオーバ処理において、該第２無線基地局として動作することができる無線基地局であって、前記ハンドオーバ処理において、前記第１無線基地局から、前記移動局宛てのデータバーストが発生しているアクティブタイム内で発生し該移動局に対して送信されていない該移動局宛ての未送信データと共に、該アクティブタイム内で発生し該移動局に対して送信された送信済データの送信結果を取得するように構成されている受信部と、前記移動局に対して、前記第１無線基地局から転送された前記未送信データ及び前記アクティブタイム内で新規に発生した該移動局宛ての新規データを送信するように構成されている送信部と、前記送信済データの送信結果と、前記未送信データ及び前記新規データの送信結果とに基づいて、前記スループットを算出するように構成されている算出部とを具備することを要旨とする。
【発明の効果】
【００１４】
以上説明したように、本発明によれば、移動局宛てのデータバーストが発生している際に、かかる移動局に係るハンドオーバ処理が行われる場合であっても、各アクティブタイムにおける移動局ＵＥに対する下りリンクのスループットを取得することができる移動通信方法及び無線基地局を提供することができる。
【図面の簡単な説明】
【００１５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局による下りデータのスループットの算出方法について説明するための図である。
【図４】本発明の第１の実施形態に係る無線基地局による下りデータのスループットの算出方法について説明するための図である。
【図５】本発明の第２の実施形態に係る無線基地局による下りデータのスループットの算出方法について説明するための図である。
【図６】本発明の第２の実施形態に係る移動通信システムの動作を説明するシーケンス図である。
【図７】本発明の第２の実施形態に係る移動通信システムの動作を説明するシーケンス図である。
【発明を実施するための形態】
【００１６】
（本発明の第１の実施形態に係る移動通信システム）
図１乃至図４を参照して、本発明の第１の実施形態に係る移動通信システムについて説明する。
【００１７】
図１に示すように、本実施形態に係る移動通信システムは、運用保守サーバＯＡＭと、無線基地局ｅＮＢ＃１/ｅＮＢ＃２とを具備している。なお、本実施形態に係る移動通信システムでは、ＬＴＥのＲｅｌｅａｓｅ-１１方式以降において規定されているＭＤＴを実現することが可能である。
【００１８】
以下、本実施形態に係る移動通信システムでは、移動局ＵＥが、無線基地局ｅＮＢ＃１配下のセル＃１から無線基地局ｅＮＢ＃２配下のセル＃２にハンドオーバするケースを例に挙げて説明する。
【００１９】
図２に示すように、本実施形態に係る無線基地局ｅＮＢは、算出部１１と、送信部１２と、受信部１３とを具備している。
【００２０】
送信部１２は、移動局ＵＥや運用保守サーバＯＡＭに対して各種信号を送信するように構成されており、受信部１３は、移動局ＵＥや運用保守サーバＯＡＭによって送信される各種信号を受信するように構成されている。
【００２１】
ここで、無線基地局ｅＮＢ＃１の送信部１２は、移動局ＵＥのセル＃１からセル＃２へのハンドオーバ処理において、無線基地局ｅＮＢ＃２に対して、「Ｄａｔａ  Ｆｏｒｗａｒｄｉｎｇ」によって、アクティブタイム内で発生し移動局ＵＥに対して送信されていない移動局宛てのデータ（すなわち、未送信データ）を転送するように構成されている。
【００２２】
一方、無線基地局ｅＮＢ＃２の受信部１３は、かかるハンドオーバ処理において、無線基地局ｅＮＢ＃１から、上述の未送信データを取得するように構成されている。
【００２３】
また、無線基地局ｅＮＢ＃２の送信部１２は、移動局ＵＥに対して、無線基地局ｅＮＢ＃１から取得した未送信データ、及び、アクティブタイム内で新規に発生した移動局ＵＥ宛ての新規データを送信するように構成されている。
【００２４】
算出部１１は、各アクティブタイムにおける移動局ＵＥに対する下りリンクのスループットを算出するように構成されている。
【００２５】
ここで、アクティブタイムは、移動局ＵＥ宛てのデータバーストが発生している期間である。例えば、図３に示すように、
また、算出部１１は、
【数１】
2013197738.tif 000003
【００２６】
によって、下りリンクに係る「Ｓｃｈｅｄｕｌｅｄ  ＩＰ  Ｔｈｒｏｕｇｈｐｕｔ」を算出するように構成されていてもよい。
【００２７】
ここで、下りリンクに係る「Ｓｃｈｅｄｕｌｅｄ  ＩＰ  Ｔｈｒｏｕｇｈｐｕｔ」は、各アクティブタイムにおける移動局宛ての下りリンクのスループットの平均値である。
【００２８】
例えば、上述のハンドオーバ処理が行われる際に、無線基地局ｅＮＢ＃１の算出部１１は、アクティブタイム内で発生し移動局ＵＥに対して送信された送信済データの送信結果に基づいて、上述のスループットを算出するように構成されていてもよい。
【００２９】
ここで、送信済データの送信結果には、送信済データのデータ量（或いは、送信済データ自身）や、かかる送信済データを送信するのに要した時間（例えば、図３における「ｔ２−ｔ１」）等が含まれる。
【００３０】
なお、上述のハンドオーバ処理が行われる際に、無線基地局ｅＮＢ＃２の算出部１１は、上述の未送信データ及び新規データの送信結果に基づいて、上述のスループットを算出するように構成されている。
【００３１】
また、送信部１２は、運用保守サーバＯＡＭに対して、算出部１１によって算出された「Ｓｃｈｅｄｕｌｅｄ  ＩＰ  Ｔｈｒｏｕｇｈｐｕｔ」を報告するように構成されている。
【００３２】
以下、図４を参照して、本実施形態に係る移動通信システムの動作について説明する。
【００３３】
図４に示すように、無線基地局ｅＮＢ＃１は、移動局ＵＥ宛てのデータバースト＃１が発生しているアクティブタイム＃１（時刻ｔ１と時刻ｔ２との間）における移動局ＵＥに対する下りリンクのスループットを算出する。
【００３４】
具体的には、無線基地局ｅＮＢ＃１は、
【数２】
2013197738.tif 000004
【００３５】
によって、かかるスループットを算出する。
【００３６】
また、無線基地局ｅＮＢ＃１は、移動局ＵＥから受信した「Ｍｅａｓｕｒｅｍｅｎｔ  Ｒｅｐｏｒｔ（測定報告）」に基づいて、移動局ＵＥのセル＃１からセル＃２へのハンドオーバ処理を開始することを決定し、時刻ｔ４において、移動局ＵＥに対するデータの送信を停止し、移動局ＵＥに対して、「Ｈａｎｄｏｖｅｒ  Ｃｏｍｍａｎｄ（ハンドオーバ指示信号）」を送信する。
【００３７】
かかる場合、無線基地局ｅＮＢ＃１は、移動局ＵＥ宛てのデータバースト＃２が発生しているアクティブタイム＃２のうちの時刻ｔ３と時刻ｔ４との間における移動局ＵＥに対する下りリンクのスループットを算出する。
【００３８】
具体的には、無線基地局ｅＮＢ＃１は、
【数３】
2013197738.tif 000005
【００３９】
によって、かかるスループットを算出する。
【００４０】
その後、算出部１１は、
【数４】
2013197738.tif 000006
【００４１】
によって、下りリンクに係る「Ｓｃｈｅｄｕｌｅｄ  ＩＰ  Ｔｈｒｏｕｇｈｐｕｔ」を算出するように構成されていてもよい。
【００４２】
ここで、測定期間（Ｍｅａｓｕｒｅｍｅｎｔ  Ｐｅｒｉｏｄ）は、図４に示すように、無線基地局ｅＮＢ＃１による移動局ＵＥに対するデータの送信が停止された時刻ｔ４で終了するように構成されていてもよい。
【００４３】
なお、無線基地局ｅＮＢ＃１は、運用保守サーバＯＡＭに対して、算出した「Ｓｃｈｅｄｕｌｅｄ  ＩＰ  Ｔｈｒｏｕｇｈｐｕｔ」を報告する。
【００４４】
一方、無線基地局ｅＮＢ＃２は、移動局ＵＥ宛てのデータバースト＃２が発生しているアクティブタイム＃２のうちの時刻ｔ４と時刻ｔ５との間における移動局ＵＥに対する下りリンクのスループットを算出して記録（Ｌｏｇ）しておく。
【００４５】
本実施形態に係る発明によれば、移動局ＵＥ宛てのデータバーストが発生している際に、かかる移動局ＵＥに係るハンドオーバ処理（及び、「Ｄａｔａ  Ｆｏｒｗａｒｄｉｎｇ」）が行われる場合であっても、無線基地局ｅＮＢ＃１及び無線基地局ｅＮＢ＃２において、各アクティブタイムにおける移動局ＵＥに対する下りリンクのスループットを取得することができる。
【００４６】
（本発明の第２の実施形態に係る移動通信システム）
図５乃至図７を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００４７】
無線基地局ｅＮＢ＃１の送信部１２は、移動局ＵＥのセル＃１からセル＃２へのハンドオーバ処理において、無線基地局ｅＮＢ＃２に対して、上述の未送信データと共に、上述の送信済データの送信結果を転送するように構成されている。
【００４８】
例えば、無線基地局ｅＮＢ＃１の送信部１２は、無線基地局ｅＮＢ＃２に対して、「Ｈａｎｄｏｖｅｒ  Ｒｅｑｕｅｓｔ」を送信する前に、移動局ＵＥに対するデータの送信を停止し、無線基地局ｅＮＢ＃２に対して、未送信データと共に、上述の送信済データの送信結果を転送するように構成されていてもよい。
【００４９】
或いは、無線基地局ｅＮＢ＃１の送信部１２は、無線基地局ｅＮＢ＃２から、「Ｈａｎｄｏｖｅｒ  Ｒｅｑｕｅｓｔ  ＡＣＫ」を受信した後に、移動局ＵＥに対するデータの送信を停止し、無線基地局ｅＮＢ＃２に対して、未送信データと共に、上述の送信済データの送信結果を転送するように構成されていてもよい。
【００５０】
例えば、無線基地局ｅＮＢ＃１の送信部１２は、無線基地局ｅＮＢ＃２に対して、「ＨＯ  Ｐｒｅｐａｒａｔｉｏｎ」時の手順において、上述の送信済データの送信結果を転送するように構成されていてもよい。
【００５１】
ここで、無線基地局ｅＮＢ＃１の算出部１１は、上述の送信済データの送信結果に基づいて、移動局ＵＥに対する下りリンクのスループットを算出しないように構成されている。
【００５２】
一方、無線基地局ｅＮＢ＃２の算出部１１は、無線基地局ｅＮＢ＃１から転送された送信済データの送信結果と、未送信データ及び新規データの送信結果とに基づいて、上述のスループットを算出するように構成されている。
【００５３】
以下、図５乃至７を参照して、本実施形態に係る移動通信システムの動作について説明する。
【００５４】
図５に示すように、無線基地局ｅＮＢ＃１は、移動局ＵＥ宛てのデータバースト＃１が発生しているアクティブタイム＃１（時刻ｔ１と時刻ｔ２との間）における移動局ＵＥに対する下りリンクのスループットを算出する。
【００５５】
具体的には、無線基地局ｅＮＢ＃１は、
【数５】
2013197738.tif 000007
【００５６】
によって、かかるスループットを算出する。
【００５７】
また、無線基地局ｅＮＢ＃１は、移動局ＵＥから受信した「Ｍｅａｓｕｒｅｍｅｎｔ  Ｒｅｐｏｒｔ」に基づいて、移動局ＵＥのセル＃１からセル＃２へのハンドオーバ処理を開始することを決定し、時刻ｔ４において、移動局ＵＥに対するデータの送信を停止し、移動局ＵＥに対して、「Ｈａｎｄｏｖｅｒ  Ｃｏｍｍａｎｄ」を送信する。
【００５８】
かかる場合、無線基地局ｅＮＢ＃１は、移動局ＵＥ宛てのデータバースト＃２が発生しているアクティブタイム＃２のうちの時刻ｔ３と時刻ｔ４との間における移動局ＵＥに対する下りリンクのスループットを算出することなく、時刻ｔ３と時刻ｔ４との間における移動局ＵＥに対するデータの送信結果（送信済データの送信結果）を転送する。
【００５９】
なお、算出部１１は、
【数６】
2013197738.tif 000008
【００６０】
によって、下りリンクに係る「Ｓｃｈｅｄｕｌｅｄ  ＩＰ  Ｔｈｒｏｕｇｈｐｕｔ」を算出するように構成されていてもよい。
【００６１】
ここで、測定期間（Ｍｅａｓｕｒｅｍｅｎｔ  Ｐｅｒｉｏｄ）は、図４に示すように、無線基地局ｅＮＢ＃１による移動局ＵＥに対するデータの送信が停止された時刻ｔ２で終了するように構成されていてもよい。
【００６２】
無線基地局ｅＮＢ＃１は、運用保守サーバＯＡＭに対して、算出した「Ｓｃｈｅｄｕｌｅｄ  ＩＰ  Ｔｈｒｏｕｇｈｐｕｔ」を報告する。
【００６３】
一方、無線基地局ｅＮＢ＃２は、移動局ＵＥから「Ｈａｎｄｏｖｅｒ  Ｃｏｍｐｌｅｔｅ」を受信すると、無線基地局ｅＮＢ＃１によって転送された時刻ｔ３と時刻ｔ４との間における移動局ＵＥに対するデータの送信結果（送信済データの送信結果）、無線基地局ｅＮＢ＃２における時刻ｔ５と時刻ｔ６との間における移動局ＵＥに対するデータの送信結果及びハンドオーバ遅延時間（ｔ_ｈａｎｄｏｖｅｒ-ｄｅｌａｙ）に基づいて、アクティブタイム＃２における移動局ＵＥに対する下りリンクのスループットを算出して記録（Ｌｏｇ）しておく。
【００６４】
具体的には、無線基地局ｅＮＢ＃２は、
【数７】
2013197738.tif 000009
【００６５】
によって、かかるスループットを算出する。
【００６６】
次に、図６を参照して、本実施形態に係る移動通信システムにおけるハンドオーバ処理の動作例１について説明する。
【００６７】
図６に示すように、ステップＳ１００１において、移動局ＵＥは、無線基地局ｅＮＢ＃１に対して、「Ｍｅａｓｕｒｅｍｅｎｔ  Ｒｅｐｏｒｔ」を送信する。
【００６８】
無線基地局ｅＮＢ＃１は、ステップＳ１００２において、移動局ＵＥから受信した「Ｍｅａｓｕｒｅｍｅｎｔ  Ｒｅｐｏｒｔ」に基づいて、移動局ＵＥのセル＃１からセル＃２へのハンドオーバ処理を開始することを決定すると、移動局ＵＥに対するデータの送信を停止し、ステップＳ１００３において、無線基地局ｅＮＢ＃２に対して、ステップＳ１００２までに移動局ＵＥに対して送信されたデータ（送信済データ）の送信結果を含む「Ｈａｎｄｏｖｅｒ  Ｒｅｑｕｅｓｔ」を送信する。
【００６９】
ステップＳ１００４において、無線基地局ｅＮＢ＃２は、無線基地局ｅＮＢ＃１に対して、「Ｈａｎｄｏｖｅｒ  Ｒｅｑｕｅｓｔ  ＡＣＫ」を送信し、無線基地局ｅＮＢ＃１は、ステップＳ１００５において、移動局ＵＥに対して、「Ｈａｎｄｏｖｅｒ  Ｃｏｍｍａｎｄ」を含む「ＲＲＣ  Ｃｏｎｎｅｃｔｉｏｎ  Ｒｅｃｏｎｆｉｇｕｒａｔｉｏｎ」を送信し、ステップＳ１００６において、無線基地局ｅＮＢ＃２に対して、「ＳＮ  Ｓｔａｔｕｓ  Ｔｒａｎｓｆｅｒ」を送信する。
【００７０】
次に、図７を参照して、本実施形態に係る移動通信システムにおけるハンドオーバ処理の動作例２について説明する。
【００７１】
図７に示すように、ステップＳ２００１において、移動局ＵＥは、無線基地局ｅＮＢ＃１に対して、「Ｍｅａｓｕｒｅｍｅｎｔ  Ｒｅｐｏｒｔ」を送信する。
【００７２】
ステップＳ２００２において、無線基地局ｅＮＢ＃１は、移動局ＵＥから受信した「Ｍｅａｓｕｒｅｍｅｎｔ  Ｒｅｐｏｒｔ」に基づいて、移動局ＵＥのセル＃１からセル＃２へのハンドオーバ処理を開始することを決定すると、無線基地局ｅＮＢ＃２に対して、「Ｈａｎｄｏｖｅｒ  Ｒｅｑｕｅｓｔ」を送信する。
【００７３】
ステップＳ２００３において、無線基地局ｅＮＢ＃２は、無線基地局ｅＮＢ＃１に対して、「Ｈａｎｄｏｖｅｒ  Ｒｅｑｕｅｓｔ  ＡＣＫ」を送信する。
【００７４】
ステップＳ２００４において、無線基地局ｅＮＢ＃１は、移動局ＵＥに対するデータの送信を停止し、ステップＳ２００５において、移動局ＵＥに対して、「Ｈａｎｄｏｖｅｒ  Ｃｏｍｍａｎｄ」を含む「ＲＲＣ  Ｃｏｎｎｅｃｔｉｏｎ  Ｒｅｃｏｎｆｉｇｕｒａｔｉｏｎ」を送信し、ステップＳ２００６において、無線基地局ｅＮＢ＃２に対して、ステップＳ２００４までに移動局ＵＥに対して送信されたデータ（送信済データ）の送信結果を含む「ＳＮ  Ｓｔａｔｕｓ  Ｔｒａｎｓｆｅｒ」を送信する。
【００７５】
本実施形態に係る発明によれば、移動局ＵＥ宛てのデータバーストが発生している際に、かかる移動局ＵＥに係るハンドオーバ処理（及び、「Ｄａｔａ  Ｆｏｒｗａｒｄｉｎｇ」）が行われる場合であっても、無線基地局ｅＮＢ＃２において、各アクティブタイムにおける移動局ＵＥに対する下りリンクのスループットを取得することができる。
【００７６】
以上に述べた本実施形態の特徴は、以下のように表現されていてもよい。
【００７７】
本実施形態の第１の特徴は、移動通信方法であって、移動局ＵＥ宛てのデータバーストが発生しているアクティブタイムにおける移動局ＵＥに対する下りリンクのスループットを算出する移動通信方法であって、移動局ＵＥの無線基地局ｅＮＢ＃１（第１無線基地局）配下のセル＃１（第１セル）から無線基地局ｅＮＢ＃２（第２無線基地局）配下のセル＃２（第２セル）へのハンドオーバ処理において、無線基地局ｅＮＢ＃１が、無線基地局ｅＮＢ＃２に対して、アクティブタイム内で発生し移動局ＵＥに対して送信されていない移動局宛ての未送信データを転送する工程と、無線基地局ｅＮＢ＃１が、アクティブタイム内で発生し移動局ＵＥに対して送信された送信済データの送信結果に基づいて、上述のスループットを算出する工程と、無線基地局ｅＮＢ＃２が、移動局ＵＥに対して、無線基地局ｅＮＢ＃１から転送された未送信データ及びアクティブタイム内で新規に発生した移動局ＵＥ宛ての新規データを送信する工程と、無線基地局ｅＮＢ＃２が、未送信データ及び新規データの送信結果に基づいて、上述のスループットを算出する工程とを有することを要旨とする。
【００７８】
本実施形態の第２の特徴は、移動通信方法であって、上述のスループットを算出する移動通信方法であって、移動局ＵＥの無線基地局ｅＮＢ＃１配下のセル＃１から無線基地局ｅＮＢ＃２配下のセル＃２へのハンドオーバ処理において、無線基地局ｅＮＢ＃１が、無線基地局ｅＮＢ＃２に対して、未送信データと共に、送信済データの送信結果を転送する工程Ａと、無線基地局ｅＮＢ＃２が、移動局ＵＥに対して、無線基地局ｅＮＢ＃１から転送された未送信データ及び新規データを送信する工程Ｂと、無線基地局ｅＮＢ＃２が、無線基地局ｅＮＢ＃１から転送された送信済データの送信結果と、未送信データ及び新規データの送信結果とに基づいて、上述のスループットを算出する工程Ｃとを有することを要旨とする。
【００７９】
本実施形態の第２の特徴において、工程Ａにおいて、無線基地局ｅＮＢ＃１は、無線基地局ｅＮＢ＃２に対して、「Ｈａｎｄｏｖｅｒ  Ｒｅｑｕｅｓｔ（ハンドオーバ要求信号）」を送信する前に、移動局ＵＥに対するデータの送信を停止し、無線基地局ｅＮＢに対して、未送信データと共に、上述の送信済データの送信結果を転送してもよい。
【００８０】
本実施形態の第２の特徴において、工程Ａにおいて、無線基地局ｅＮＢ＃１は、無線基地局ｅＮＢ＃２から、「Ｈａｎｄｏｖｅｒ  Ｒｅｑｕｅｓｔ  ＡＣＫ（ハンドオーバ要求応答信号）」を受信した後に、移動局ＵＥに対するデータの送信を停止し、無線基地局ｅＮＢ＃２に対して、未送信データと共に、上述の送信済データの送信結果を転送してもよい。
【００８１】
本実施形態の第３の特徴は、移動局ＵＥの無線基地局ｅＮＢ＃１配下のセル＃１から無線基地局ｅＮＢ＃２配下のセル＃２へのハンドオーバ処理において、無線基地局ｅＮＢ＃１として動作することができる無線基地局ｅＮＢであって、かかるハンドオーバ処理において、無線基地局ｅＮＢ＃２に対して、未送信データを転送するように構成されている送信部１２と、送信済データの送信結果に基づいて、上述のスループットを算出するように構成されている算出部１１とを具備することを要旨とする。
【００８２】
本実施形態の第４の特徴は、移動局ＵＥの無線基地局ｅＮＢ＃１配下のセル＃１から無線基地局ｅＮＢ＃２配下のセル＃２へのハンドオーバ処理において、無線基地局ｅＮＢ＃２として動作することができる無線基地局ｅＮＢであって、かかるハンドオーバ処理において、無線基地局ｅＮＢ＃１から、未送信データを取得するように構成されている受信部１３と、移動局ＵＥに対して、無線基地局ｅＮＢ＃１から取得した未送信データ及び新規データを送信するように構成されている送信部１２と、未送信データ及び新規データの送信結果に基づいて、上述のスループットを算出するように構成されている算出部１１とを具備することを要旨とする。
【００８３】
本実施形態の第５の特徴は、移動局ＵＥの無線基地局ｅＮＢ＃１配下のセル＃１から無線基地局ｅＮＢ＃２配下のセル＃２へのハンドオーバ処理において、無線基地局ｅＮＢ＃１として動作することができる無線基地局ｅＮＢであって、かかるハンドオーバ処理において、無線基地局ｅＮＢ＃２に対して、未送信データと共に、送信済データの送信結果を転送するように構成されている送信部１２を具備することを要旨とする。
【００８４】
本実施形態の第５の特徴において、送信部１２は、無線基地局ｅＮＢ＃２に対して、「Ｈａｎｄｏｖｅｒ  Ｒｅｑｕｅｓｔ」を送信する前に、移動局ＵＥに対するデータの送信を停止し、無線基地局ｅＮＢ＃２に対して、未送信データと共に、上述の送信済データの送信結果を転送するように構成されていてもよい。
【００８５】
本実施形態の第５の特徴において、送信部１２は、無線基地局ｅＮＢ＃２から、「Ｈａｎｄｏｖｅｒ  Ｒｅｑｕｅｓｔ  ＡＣＫ」を受信した後に、移動局ＵＥに対するデータの送信を停止し、無線基地局ｅＮＢ＃２に対して、未送信データと共に、上述の送信済データの送信結果を転送するように構成されていてもよい。
【００８６】
本実施形態の第６の特徴は、移動局ＵＥの無線基地局ｅＮＢ＃１配下のセル＃１から無線基地局ｅＮＢ＃２配下のセル＃２へのハンドオーバ処理において、無線基地局ｅＮＢ＃２として動作することができる無線基地局ｅＮＢであって、かかるハンドオーバ処理において、無線基地局ｅＮＢ＃１から、未送信データと共に、送信済データの送信結果を取得するように構成されている受信部１３と、移動局ＵＥに対して、無線基地局ｅＮＢ＃１から転送された未送信データ及び新規データを送信するように構成されている送信部１２と、かかる送信済データの送信結果と、未送信データ及び新規データの送信結果に基づいて、上述のスループットを算出するように構成されている算出部１１とを具備することを要旨とする。
【００８７】
なお、上述の移動局ＵＥや無線基地局ｅＮＢや運用保守サーバＯＡＭの動作は、ハードウェアによって実施されてもよいし、プロセッサによって実行されるソフトウェアモジュールによって実施されてもよいし、両者の組み合わせによって実施されてもよい。
【００８８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや運用保守サーバＯＡＭ内に設けられていてもよい。また、かかる記憶媒体及びプロセッサは、ディスクリートコンポーネントとして移動局ＵＥや無線基地局ｅＮＢや運用保守サーバＯＡＭ内に設けられていてもよい。
【００９０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９１】
ＵＥ…移動局
ｅＮＢ…無線基地局
ＯＡＭ…運用保守サーバ
１１…算出部
１２…送信部
１３…受信部
【図１】
2013197738.tif 000010
【図２】
2013197738.tif 000011
【図３】
2013197738.tif 000012
【図４】
2013197738.tif 000013
【図５】
2013197738.tif 000014
【図６】
2013197738.tif 000015
【図７】
2013197738.tif 000016